(57)【要約】【課題】片手の不自由な人でも容易に水やり作業を行うことができ、また、高い所に置いた植木等に水をやる場合にもジョウロのように水を浴びるといったことがなく、また所望の箇所への水やり中に周囲に水が飛び散ることもない水撒き具を提供することにある。【解決手段】底部中央に水流入穴９を有すると共に前記水流入穴９の周囲に水排出穴１０を有し、水流入穴９と水排出穴１０との間を仕切るようにして所定の内部空間１３を有すると共に通水穴１２を有して、水流入穴９を囲繞する囲繞部材３を内部に備えた椀状の容器２と、囲繞部材３の内部空間１３に転動自在に設けて水流入穴９を開閉する球体４と、容器２を密閉する蓋５と、容器２を支持部材６を介して揺動自在に支持する柄７と、一端部８ａが容器２に通じ他端部８ｂを使用時に把持する前記柄７の手元側に配した柔軟な管８とを備えた構成からなる【選択図】  図１
2005151942.tif 000002
【特許請求の範囲】
【請求項１】
底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記容器を支持部材を介して揺動自在に支持する柄と、一端部が前記容器に通じ他端部を使用時に把持する前記柄の手元側に配した柔軟な管または管通路とを備えた構成からなる水撒き具。
【請求項２】
底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記容器を支持する柄と、一端部が前記容器に通じ他端部を使用時に把持する前記柄の手元側に配した柔軟な管または管通路とを備えた構成からなる水撒き具。
【請求項３】
底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記蓋に形成した開閉用穴と、前記容器を支持する柄とを備えた構成からなる水撒き具。
【発明の詳細な説明】
【技術分野】
【０００１】
この発明は、各家庭等で日常、花や植木等に水をやるのに使用するものであり、特に片手の不自由な人にとっては便利な水撒き具に関するものである。
【背景技術】
【０００２】
一般に各家庭では、毎日或いは何日か毎に素焼き鉢や合成樹脂で成形されたプランタ等で栽培している各種の花や植木等の植物に水やりを行っている。この水やりにはジョウロやホースが使用されている。その場合、例えば片手でジョウロを持ちもう一方の手で水道の蛇口の栓をひねって直接ジョウロに水を注いだり、蛇口にホースを繋ぎこのホースの先端をジョウロに入れた後に蛇口の栓をひねって水をジョウロに注いでいる。そして水を入れたジョウロを片手または両手で持って水やりを行っている。
【０００３】
また、蛇口に繋いだホースから花等に直接水をやる場合には、片手の指でホースの先端部を圧迫して塞ぎ、もう一方の手で蛇口の栓をひねって水を出し、塞いだホースの先端部を、水をやる箇所に導いて開放し、花等に水をやっている。
【０００４】
この場合、健常者であれば前記したように片手でジョウロやホースを持ち、もう一方の手で蛇口の栓をひねって花や植木等に簡単に水やることができる。
【０００５】
しかしながら、片手の不自由な人の場合は、例えば蛇口の下にジョウロを一旦置いて栓をひねり、ジョウロに水を入れた後に栓を締めて水を止め、その後に腰を屈めてジョウロを持って水やりを行っているため、水やり作業が甚だ面倒で大変であった。
【０００６】
また、ホースを使用して直接水やりを行う場合も、蛇口の栓をひねった時に水圧によってホースがはねないように、足で一旦ホースの先端部を踏み、蛇口の栓をひねって水を出した後に、足で踏んで塞いでいるホースの先端部を今度は指で圧して塞ぎながら水やりの箇所まで導いて指の力を緩め、ホースの先端部を開放して水やりを行っている。この場合も片手の不自由な人にとっては、その作業が大変であった。そして作業中は注意をしていても衣服や履物に水がかかることがある。
【０００７】
また、従来のジョウロやホースで高い所に置いた植木等に水をやる場合、ジョウロを斜め上方に傾けて持ち上げた時にジョウロの注水口から水がこぼれ出て衣服等を濡らしまうことがある。同様にホースの場合も上方に飛ばした水の落下によって衣服等を濡らしまうことがある。また、高い所には柄杓で水やりする方法もあるが、この場合は流れ出る水量を目視するのが困難である。
【０００８】
さらに、ジョウロやホースで水やりを行った場合、水が周囲に飛び散ってしまい、階上のベランダに置いた花や植木等に水をやった場合、周囲に水が散って階下の人に迷惑をかけてしまうこともある。また、床面を濡らしてしまう。
【０００９】
【特許文献１】特開平１０−３２３１３２号公報
【特許文献２】特開２０００−２６２１６８号公報
【特許文献３】特開２００１−２１１７６６号公報
【発明の開示】
【発明が解決しようとする課題】
【００１０】
この発明は、前記のような点に鑑みて開発したものであり、片手の不自由な人でも容易に水やり作業を行うことができ、また、高い所に置いた植木等に水をやる場合にもジョウロのように水を浴びるといったことがなく、さらに所望の箇所への水やり中に周囲に水が飛び散ることもない水撒き具を提供することにある。
【課題を解決するための手段】
【００１１】
前記した課題を解決して目的を有効に達成するために、本発明の水撒き具は次のような手段にした。
【００１２】
すなわち、本発明の水撒き具は、底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記容器を支持部材を介して揺動自在に支持する柄と、一端部が前記容器に通じ他端部を使用時に把持する前記柄の手元側に配した柔軟な管または管通路とを備えた構成からなるものである。
【００１３】
また、本発明の水撒き具は、底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記容器を支持する柄と、一端部が前記容器に通じ他端部を使用時に把持する前記柄の手元側に配した柔軟な管または管通路とを備えた構成からなるものである。
【００１４】
また、本発明の水撒き具は、底部中央に水流入穴を有すると共に前記水流入穴の周囲に水排出穴を有する椀状の容器と、容器の内底部に設けて前記水流入穴と水排出穴とを仕切るとともに所定の内部空間を有して前記水流入穴を囲繞しかつ前記内部空間に流入する水を容器内に導く通水穴を有してなる囲繞部材と、前記囲繞部材の内部空間に転動自在に設けて前記水流入穴を開閉する球体と、前記容器を密閉する蓋と、前記蓋に形成した開閉用穴と、前記容器を支持する柄とを備えた構成からなるものである。
【発明の効果】
【００１５】
本発明の水撒き具では、片手で柄を持ってバケツ等に入れた水の中に容器の底部を入れることにより、水圧によって球体が動いて水流入穴から容器内に容易に水を入れることができ、所望の量だけ容器内に水を入れた後に、柄の手元の管または管通路の端部を指で押えてバケツ等から容器を引き上げることにより、前記水流入穴は球体で塞がれて水流入穴からの水の排出が阻止され、さらに、容器の水排出穴から落下しようとする水の力に対抗する表面張力が前記水排出穴の箇所で生じるとともに、落下しようとする水の力に対抗する大気圧の作用によって、水排出穴からの水の排出が阻止される。それ故に花や植木等の水やりの箇所まで容器に入れた水を零すことなく運ぶことができる。そして水やりの箇所に容器を位置させた後に、指で押えていた管または管通路の端部を開放することにより、大気が管または管通路に通じ、大気圧が管または管通路から容器内の水の上側に作用し、水の自重と相まって、前記した落下しようとする水の力に対抗する表面張力や大気圧に打ち勝って、容器内の水を水排出穴から排出でき、片手で簡単に花や植木等の所望の箇所に水をやことができる。したがって片手の不自由な人でも容易に植木等に水をやることができる。また高い所に置かれた植木等に水を与える場合でも容器が支持部材を介して柄に揺動自在に取り付けられているので、柄を斜め上方に持上げても容器は傾くことなく常に水平またはほぼ水平になり、水をかぶることなく植木等に水をやることができる。さらに、容器の底部に水排出穴を形成してあるので、容器から水が排出される場合も容器の底面に対して垂直方向に落下して周囲に飛び散ることなく、確実に所望の箇所に水をやることができる。したがってマンション等の階上のベランダで水やりを行っても、周囲に水を飛散させて階下の人に迷惑をかけることもない。また、床面を殆ど濡らすこともない。
【００１６】
また、容器を揺動自在に支持する支持部材を備えていない本発明の水撒き具でも、前記の水撒き具と同様に片手で柄の手元の管または管通路の端部を押えたり開放したりすることにより、簡単に容器に水を充填したり容器から花や植木等の所望の箇所に水をやったりすることができる。したがって片手の不自由な人でも容易に植木等に水をやることができる。
【００１７】
また、蓋に開閉用穴を形成した本発明の水撒き具では、構成簡単であり、柄の内部に管通路を形成したり、管を備えることなく、前記開閉用穴を指で開閉することにより、前記した効果と同様の効果を奏して植木等に水やりを行うことができる。
【発明を実施するための最良の形態】
【００１８】
図１〜図６は本発明に係る第１例の水撒き具に関する図であって、この水撒き具１は、
水を入れる容器２と、容器２内に設けられた囲繞部材３と、囲繞部材３内に収納された球体４と、容器２を密閉する蓋５と、容器２を支持部材６を介して揺動自在に支持する柄７と、一端部８ａが容器２に通じ他端部８ｂを使用時に把持する前記柄７の手元側に配した柔軟な管８とを備えた構成からなるものである。
【００１９】
より具体的に説明すると、前記容器２(図４、図５参照)は、上部を開口した椀状であって、底部中央に円形の水流入穴９を有し、この水流入穴９を中心としてその周囲に、容器内の水を散水のために排出する複数の水排出穴１０が所定間隔を以って形成されている。各水排出穴１０は、前記水流入穴９よりもはるかに小径の穴である。また、水流入穴９の周縁は、球体４が係合して水流入穴９を確実に封じることができるように加工するとよい。また、水排出穴１０の径に比べはるかに大きな径の水流入穴９を形成してあることにより、容器２内への水の流入をより短かい時間で行うことができる。
【００２０】
さらに、前記容器２内の底部には、上天部１１ａおよび周側部１１ｂに通水穴１２ａ、１２ｂを有し、かつ所定の内部空間１３を有する筒状の囲繞部材３が、前記水流入穴９を囲繞すると共に前記水流入穴９と水排出穴１０との間を仕切るようにして固定してある。なお、前記各通水穴１２ａ、１２ｂの大きさ、形状、数、形成箇所については図示の例に限定されることなく、変更するも自由である。
【００２１】
この囲繞部材３の内部空間１３には、ガラス製の球体４が転動自在に配してある。この球体４は、容器２の底部に形成した水流入穴９および囲繞部材３の通水穴１２ａより大きい径のものであり、水流入穴９を塞いだり、動いて開放したりする。
【００２２】
前記容器２の上部開口は、蓋５によって完全に密閉されている。蓋５の中央部には、後述する管８の一端部８ａが接続されている。
【００２３】
蓋５を備えた容器２は、支持部材６を介して揺動自在に柄７に取り付けられている。この支持部材６(図６参照)は、容器２の上部を適宜間隔を以って半周する位の半円弧状の支持杆部６ａと、支持杆部６ａの中央の外面から少し上向きに突出形成されている柄嵌着筒部６ｂと、前記支持部６ａの両端近傍を揺動自在に蓋５の各鍔部５ａに係止する頭部付き連結軸６ｃ、および連結軸６ｃを支持部６ａに固定するナット６ｄとからなる。支持部材６は硬質の合成樹脂または金属材によって形成されている。前記柄７は、先端部を前記柄嵌着筒部６ｂに装着してある。
【００２４】
前記した管８(図４参照)は、一端部８ａを蓋５の中央部に導き、この一端部８ａを保持する固定キャップ１５を蓋５の中央部に開けた穴１４の外に固着し、この固定キャップ１５の中央から隙間なく挿入された前記一端部８ａを、容器２内に先端８ｃを突出するようにして取り付けてある。また、固定キャップ１５の外の管８の露出部分８ｄは、支持部材６に取り付けられた容器２が揺動自在に動けるように、ある程度長さに余裕をもたせてある。この管８の露出部分８ｄから先(図１参照)は、柄７の柄嵌着筒部６ｂ寄りの箇所から柄７の中に装着され、使用時に把持する柄７の手元側に他端部８ｂを柄７の中から導いて、管８の後端８ｅを柄７の上側に露出させてある。
【００２５】
前記のような構成からなる水撒き具１を使用して例えば鉢植えの花に水を与える場合は(図６参照)、先ず管８の後端８ｅを手で封じることなく柄７の手元部分を片手で握る。そしてバケツ３０に満たした水の水面に対して柄７を略垂直方向に立てると、柄７の先端部に取り付けた支持部材６に揺動自在に取り付けている容器２は、外底面を水面に対峙するようになる。このようにして柄７を水面側に押して容器２の外底面を水面に押付ける。この時、容器２はある程度、水の中に入る。
【００２６】
このようにすることにより容器２の囲繞部材３の中に入れてある球体４は、水圧に押されて内部空間１３内で動き、封鎖していた水流入穴９を開放する。このことによりバケツ内の水は水流入穴９から内部空間１３、通水穴１２ａ、１２ｂを通って容器２内に流入する。勿論、バケツ３０内の水は容器２の各水排出穴１０からも容器２内に流入する。また、容器２内に溜まっている空気は、水の流入に伴って管８から排出される。
【００２７】
ある程度の量の水が容器２内に入ったら、柄７を握っている手の親指で管８の他端部８ｂを押えて後端８ｅを閉鎖する(図２参照)。このことにより柄８を握って水撒き具１を水面から持上げても管８への大気の流入が遮断されているため容器２内の水が水排出穴１０から流出するのを防止できる。すなわち、前記したように水流入穴９は球体４で塞がれて水流入穴９からの水の排出が阻止され、さらに、容器２の水排出穴１０から落下しようとする水の力に対抗する表面張力が各水排出穴１０の箇所で生じるとともに、落下しようとする水の力に対抗する大気圧の作用によって、各水排出穴１０からの水の排出も阻止される。
【００２８】
この状態で水撒き具１を持上げて移動させ、所望の花や植木鉢の上に容器２を位置させる。この際、容器２は支持部材６を介して柄７に揺動自在に取り付けられているので、水の入った容器２の重さにより、容器２に対する柄７の角度が如何なる角度であっても、容器２は常に底面部を下にして水平になる。そして、前記した管８の他端部８ｂを押えていた親指を離して管８を通気させることにより、大気が管８に通じ、大気圧が管８から容器２内の水の上側に作用し、水の自重と相まって、前記した落下しようとする水の力に対抗する表面張力や大気圧に打ち勝って、容器２内の水を水排出穴１０から排出できて、所望の箇所に水を与えることができる。
【００２９】
このように花や植木鉢等に水を与えるときに本発明の水撒き具１を使用すれば、片手で操作して簡単に所望の箇所に水を与えることができる。また、前記したように容器２は支持部材６を介して柄７に揺動自在に取り付けられているので、高い所に置かれた植木等に水を与える場合に柄７を斜め上方に持上げても、容器２は傾くことなく常に水平（またはほぼ水平）になり、容器２の底面に対して垂直方向に水は排出される。そのため、水をかぶることなく、植木等に確実に水を与えることができる。
【００３０】
なお、前記の水撒き具１において容器２に水を入れる場合、ゴム製の管８の露出部分８ｄの屈曲力によって必ずしも容器２の底面がバケツ内の水面に対して平行に対峙せずに傾いて、水流入穴９から水を入れにくくなる懸念があるので、蓋５の上面の柄７と反対側の部分に紐（図示省略）を取り付け、容器２に水を入れる時に前記紐を柄７側に引いて、容器２の底面を確実に水面に対して平行に対峙するようにしてもよい。
【００３１】
また、例えばバケツの内面の対峙する箇所に、容器２の底面を水面に対して平行に対峙させて強制的に降下させるための縦ガイド溝を設けた水撒き具専用のバケツを形成し、容器２に前記縦ガイド溝に摺動可能に係合する係合片を設けて、水を入れる時に容器２の底面を水面に対して平行に対峙させて降下させることができるようにしてもよい。
【００３２】
なお、本発明の水撒き具は、図示省略するが、支持部材６を設けることなく、容器２に柄７の先端部を直接連結した構成であってもよい。その他の構成は前記した第１例と同様である。勿論、この水撒き具の場合は、後述する第２例のように柄７の中に管通路を形成した構成であってもよい。
【００３３】
また、図７〜図９は本発明に係る第２例の水撒き具に関する図であって、この水撒き具１６は、水を入れる容器１７と、容器１７内に設けられた囲繞部材１８と、囲繞部材１８内に収納された球体１９と、容器１７を密閉する蓋２０と、容器１７を支持する柄２１と、一端部２２ａが容器１７に通じ他端部２２ｂを使用時に把持する前記柄２１の手元側に配した管通路２２とを備えた構成からなるものである。
【００３４】
より具体的に説明すると、前記容器１７(図８参照)は、前記した容器２とほぼ同じ構成であって、上部を開口した椀状であり、底部中央に円形の水流入穴２３を有し、この水流入穴２３を中心としてその周囲に、容器内の水を散水のために排出する複数の水排出穴２４が所定間隔を以って形成されている。各水排出穴２４は、前記水流入穴２３よりもはるかに小径の穴である。
【００３５】
さらに、前記容器１７内の底部には、上天部２５ａおよび周側部２５ｂに通水穴２６ａ、２６ｂを有し、所定の内部空間２７を有する筒状の囲繞部材１８が、前記水流入穴２３を囲繞すると共に前記水流入穴２３と水排出穴２４との間を仕切るようにして固定してある。
【００３６】
この囲繞部材１８の内部空間２７には、ガラス製または金属製の球体１９が転動自在に設けてある。この球体１９は、容器１７の底部に形成した水流入穴２３および囲繞部材１８の通水穴２６２６ａ、２６ｂより大きい径のものであり、水流入穴２３を塞いだり、水圧で動いて開放したりする。
【００３７】
前記容器１７の上部開口は蓋２０によって密閉されている。また、容器１７の上部には，容器１７内に通じる孔２８(図８参照)を有する柄嵌着筒部２９が形成されている。
【００３８】
前記柄嵌着筒部２９には、柄２１の先端部２１ａが装着されている。また、容器１７内に通じる管通路２２の一端部２２ａは、柄２１の先端部２１ａから容器１７内に臨んでおり、柄２１の中に配された管通路２２の他端部２２ｂは、使用時に把持する柄２１の手元側に導いて後端２２ｃを上部に露出させてある。
【００３９】
前記のような構成からなる水撒き具１６を使用して例えば鉢植えの花に水を与える場合は、管通路２２の後端２２ｃを手で封じることなく柄７の手元部分を片手で握る。そしてバケツに満たした水の水面に容器１７の外底面を押付ける。この時、容器２はある程度、水の中に入る。
【００４０】
このようにすることにより容器１７の囲繞部材１８の中に入れてある球体１９は、水圧に押されて内部空間２７内で動き、封鎖していた水流入穴２３を開放する。このことによりバケツ内の水は水流入穴２３から内部空間２７、通水穴２６ａ、２６ｂを介して容器１７内に流入する。また、バケツ内の水は容器１７の水排出穴２４からも容器１７内に流入する。容器１７内に溜まっている空気は、水の流入に伴って管通路２２から外に排出される。
【００４１】
ある程度容器１７内に水が入ったら、柄２１を握っている手の親指で管通路２２の後端２２ｃを押えて閉鎖する。このことにより柄２１を握って水撒き具１６を水面から持上げても容器１７内の水が水排出穴２４から流出するのを防止できる。
【００４２】
この状態で水撒き具１６を持上げて移動させ、所望の花や植木鉢の上に容器１７を位置させる。そして、前記した管通路２２の後端２２ｃを押えていた親指を離して管通路２２を通気させることにより、大気が管通路２２に流入して容器１７内の水は各水排出穴２４から流れ出し所望の箇所に水を与えることができる。
【００４３】
このように花や植木鉢等に水を与えるときに本発明の水撒き具１６を使用すれば、片手で簡単に所望の箇所に水を与えることができる
【００４４】
なお、前記水撒き具１６において、管通路２２は軸部材の中に開けた長孔であってもよい。さらに、水撒き具１６においては、柄２１に設けた管通路２２に代えて前記した第１例の水撒き具１(図１参照)のように、管の一端部を蓋２０等の容器側に設け、他端部を柄２１の手元側に設けた構成（図示省略）のものであってもよい。
【００４５】
図１０は本発明に係る第３例の水撒き具に関する図であって、この例の水撒き具３１は、前記した第１例や第２例のように管或いは管通路を備えることなく、蓋２０に開閉用穴３２を形成した構成である。したがって、前記した第２例の水撒き具１６のような管通路２２は有していない。他の構成は第２例の構成と同様であり同一箇所に同一符合を付して説明を省略する。
【００４６】
この水撒き具３１では、使用時に、開閉用穴３２を指で開閉することにより、前記した第１例や第２例と同様に、容器１７内に水を流入させて、容器１７内に水を溜めた状態で所望箇所に移動させたり、水排出穴２４から水を排出させたりすることができる。なお、この例の水撒き具３１では柄２１を短くすると開閉用穴３２を指で操作しやすい
【００４７】
なお、本発明の水撒き具において、水排出穴は囲繞部材の外側の容器の底面部の全体に形成するも自由である。勿論、各水排出穴の数や大きさ、形状は、特に限定されるものではなく適宜取り決めて形成すればよい。また、容器や支持部材や柄の形状も図示の例に限らず他の形状とするも自由である。また、容器の水流入穴を開閉できれば、球体は球形に限らず他の形状からなる開閉用部材であってもよい。さらに容器は透明部材で形成すると水の充填量や排出量が目視できてよい。また、本発明の水撒き具を構成する部材の材質は特に限定されるものではなく、適宜の材料を選択して水撒き具を構成すればよい。また、本発明の水撒き具において、容器への蓋の取り付けは密閉できるように接着剤で固着してもよいが、囲繞部材や容器の各穴がごみ等によって目詰まりをしたときに蓋を開けて掃除できるように、パッキンを介して蓋を容器に取り付けするのが好ましい。勿論、容器に対して蓋を着脱できかつ容器を密封できれば、蓋を容器に如何なる構成で着脱できる構成であってもよい。また、使う場合に問題もあるが管や管通路の他端部を柄の容器寄りに配した構成に設計変更するも自由である。また、前記した例の水撒き具において、容器の底部に水排出穴のみ形成し、水流入穴、球体、囲繞部材を備えていない構成であっても、前記した目的を達することはできるが、容器内へ水を流入させるのに時間がかかる。
【図面の簡単な説明】
【００４８】
【図１】本発明に係る第１例の水撒き具の斜視図である。
【図２】本発明に係る第１例の水撒き具の使用時の斜視図である。
【図３】本発明に係る第１例の水撒き具の使用時の斜視図である。
【図４】本発明に係る第１例の水撒き具の容器の縦断面図である。
【図５】本発明に係る第１例の水撒き具の容器の底面部の説明図である。
【図６】本発明に係る第１例の水撒き具の容器への水充填時の説明図である。
【図７】本発明に係る第２例の水撒き具の正面図である。
【図８】図７の水撒き具の一部断面を示す正面図である。
【図９】図７の水撒き具の容器の底面部の説明図である。
【図１０】本発明に係る第３例の例の水撒き具の正面図である。
【符号の説明】
【００４９】
１      水撒き具
２      容器
３      囲繞部材
４      球体
５      蓋
６      支持部材
７      柄
８      管
９      水流入穴
１０    水排出穴
１２    通水穴
１３    内部空間
【図１】
2005151942.tif 000003
【図２】
2005151942.tif 000004
【図３】
2005151942.tif 000005
【図４】
2005151942.tif 000006
【図５】
2005151942.tif 000007
【図６】
2005151942.tif 000008
【図７】
2005151942.tif 000009
【図８】
2005151942.tif 000010
【図９】
2005151942.tif 000011
【図１０】
2005151942.tif 000012